(57)【特許請求の範囲】
【請求項１】
柱状に形成された錘本体を備え、
前記錘本体の軸方向に直交する前記錘本体の端面の周縁部分に、前記端面の周縁に沿って延びる溝が形成され、
前記溝の内面のうち前記錘本体の径方向内側に向く前記溝の外側内側面が、前記軸方向において前記溝の底部から開口に向かうにしたがって、前記錘本体の径方向外側に傾斜し、前記軸方向に対する前記外側内側面の傾斜角度が、３０度以上である鍵盤錘。
【請求項２】
側面に開口する挿入孔を有する鍵と、
前記挿入孔に挿入されて前記鍵にかしめ固定された鍵盤錘と、を備え、
前記鍵盤錘は、前記挿入孔に挿入される柱状の錘本体を有し、前記錘本体は軸方向の端部の周縁部分に形成され前記鍵の前記挿入孔の内面に食い込ませたかしめ部を有し、
前記かしめ部は、前記鍵の長手方向に対して、±４５度以内の領域に形成されている鍵ユニット。
【請求項３】
側面に開口する挿入孔を有する鍵と、
前記挿入孔に挿入されて前記鍵にかしめ固定された柱状の鍵盤錘と、を備え、
前記鍵盤錘は、前記挿入孔に挿入される柱状の錘本体を有し、前記錘本体は軸方向の端部の周縁部分に形成され前記鍵の前記挿入孔の内面に食い込ませたかしめ部を有し、
前記かしめ部は、前記鍵の長手方向に対して、±４５度以内の領域に形成され、
前記錘本体の直径Ｄは、前記鍵の厚みの６０％以上である鍵ユニット。
【請求項４】
柱状に形成された錘本体の軸方向に直交する端面の周縁部分に前記端面の周縁に沿って延びる溝が形成された鍵盤錘を、鍵の側面に開口する挿入孔に挿入し、前記錘本体の前記溝にかしめ用工具のかしめ用突起を挿入することによって、前記鍵盤錘の径方向において前記溝の外側に位置するかしめ部を前記鍵盤錘の径方向外側へ曲げて前記鍵の前記挿入孔の内面に食い込ませることで前記鍵盤錘を前記鍵に固定する鍵ユニットの製造方法。
【発明の詳細な説明】
【技術分野】
【０００１】
この発明は、鍵盤楽器に使用される鍵盤錘、鍵ユニット、鍵ユニットの製造方法に関する。
【背景技術】
【０００２】
従来から、ピアノ等の鍵盤楽器の鍵盤の各鍵には、演奏時の鍵タッチの重さ調整に用いられる金属製の錘（以下、鍵盤錘、とも言う）が取り付けられている。具体的に、鍵盤錘は、鍵を左右に貫通する貫通孔に挿入、固定される。
鍵盤錘は、例えば鍵盤の低音側の鍵は重く、高音側の鍵は軽くなるように鍵に取り付けられ、これにより演奏時のタッチ感が向上する。【０００３】
鍵盤錘には、円柱状に形成された鉛製のものが広く用いられている。しかしながら、健康や環境への影響の観点から、鍵盤錘を鉛以外の金属材料によって形成することが検討されている。鍵盤錘は、例えば鉄等のように、鉛に比べて硬質の金属によって形成することが考えられている。
例えば、特許文献１の図１（ａ）、（ｂ）には、鍵盤錘の軸方向両端面のそれぞれの周縁に、鍵盤錘軸方向に突出する円筒状のかしめ部を形成した構成が開示されている。この鍵盤錘は、鍵の貫通孔に挿入した状態で、鍵の左右両側から棒状の固定具を用いて、軸方向両端の円筒状のかしめ部を拡張させ、鍵の貫通孔内壁に食い込ませることで、鍵に固定される。また、特許文献１の鍵盤錘は、円筒状のかしめ部の拡張を容易にするために、鍵の貫通孔内面に対向する対向面にかしめ部が倒れ込む切欠溝を形成した構成となっている。
【先行技術文献】
【特許文献】
【０００４】
【特許文献１】特開２００３−１７７７４０号公報
【発明の概要】
【発明が解決しようとする課題】
【０００５】
本発明は、鍵への鍵盤錘の取り付けを良好にする技術を提供することを目的とする。
【課題を解決するための手段】
【０００６】
上記課題を解決するために、本発明では以下の態様を提供する。
本発明の第一の態様の鍵盤錘は、柱状に形成された錘本体を備え、前記錘本体の軸方向に直交する前記錘本体の端面の周縁部分に、前記端面の周縁に沿って延びる溝が形成され、前記溝の内面のうち前記錘本体の径方向内側に向く前記溝の外側内側面が、前記軸方向において前記溝の底部から開口に向かうにしたがって、前記錘本体の径方向外側に傾斜し、前記軸方向に対する前記外側内側面の傾斜角度が、３０度以上である。【０００７】
本発明の第二の態様の鍵ユニットは、側面に開口する挿入孔を有する鍵と、前記挿入孔に挿入されて前記鍵にかしめ固定された鍵盤錘と、を備え、前記鍵盤錘は、前記挿入孔に挿入される柱状の錘本体を有し、前記錘本体は軸方向の端部の周縁部分に形成され前記鍵の前記挿入孔の内面に食い込ませたかしめ部を有し、前記かしめ部は、前記鍵の長手方向に対して、±４５度以内の領域に形成されている。【０００８】
本発明の第三の態様の鍵ユニットは、側面に開口する挿入孔を有する鍵と、前記挿入孔に挿入されて前記鍵にかしめ固定された柱状の鍵盤錘と、を備え、前記鍵盤錘は、前記挿入孔に挿入される柱状の錘本体を有し、前記錘本体は軸方向の端部の周縁部分に形成され前記鍵の前記挿入孔の内面に食い込ませたかしめ部を有し、前記かしめ部は、前記鍵の長手方向に対して、±４５度以内の領域に形成され、前記錘本体の直径Ｄは、前記鍵の厚みの６０％以上である。【００１１】
本発明の第四態様の鍵ユニットの製造方法は、柱状に形成された錘本体の軸方向に直交する端面の周縁部分に前記端面の周縁に沿って延びる溝が形成された鍵盤錘を、鍵の側面に開口する挿入孔に挿入し、前記錘本体の前記溝にかしめ用工具のかしめ用突起を挿入することによって、前記鍵盤錘の径方向において前記溝の外側に位置するかしめ部を前記鍵盤錘の径方向外側へ曲げて前記鍵の前記挿入孔の内面に食い込ませることで前記鍵盤錘を前記鍵に固定する。
【発明の効果】
【００１２】
本発明の態様によれば、鍵への鍵盤錘の取り付けを良好にすることができる。
【図面の簡単な説明】
【００１３】
【図１】本発明の一実施形態に係る鍵盤錘を示す斜視図である。
【図２】図１の鍵盤錘の断面図である。
【図３】図１の鍵盤錘を鍵の挿入孔に挿入固定する作業において、鍵盤錘を鍵の挿入孔に挿入した状態を示す断面図である。
【図４】図３の鍵盤錘を鍵にかしめ固定した状態を示す断面図である。
【図５】図４の鍵盤錘のかしめ部付近を示す拡大断面図である。
【図６】図１の鍵盤錘を鍵に固定した鍵ユニットの例を示す側面図である。
【図７】図１の鍵盤錘を鍵に固定した鍵ユニットの例を示す図であって、鍵盤錘のかしめ部の複数のかしめ分割部を全て鍵の挿入孔内面に食い込ませた鍵ユニットの例を示す図である。
【発明を実施するための形態】
【００１４】
以下、本発明の一実施形態について図面を参照して説明する。
【００１５】
図１、図２に示す実施形態の鍵盤錘１０は、柱状（図１、図２では円柱状）に形成された錘本体１１を備えている。鍵盤錘１０は、その全体が、例えば鉄等の金属によって形成されている。鍵盤錘１０の形成材料は、鉄に限定されず、例えば銅等も採用可能である。
【００１６】
図４〜図６に示すように、鍵盤錘１０は、鍵盤楽器の鍵盤の鍵２０に形成された挿入孔２１に挿入固定して使用される。鍵盤錘１０は、鍵２０に固定されることで鍵２０と共に鍵ユニット２０Ａを構成する。
【００１７】
図１、図２に示すように、錘本体１１の軸方向両端には、錘本体１１の軸方向に直交する端面１２（以下、錘本体端面１２、とも言う）が形成されている。
錘本体１１の端面１２の周縁部分には、錘本体端面１２の周縁に沿って延びる溝１３が形成されている。溝１３は、錘本体端面１２の周縁に沿う環状に形成されている。
【００１８】
溝１３の内面のうち錘本体１１の径方向内側に向く外側内側面１３ａは、錘本体１１の軸方向において溝１３の底部から開口に向かうにしたがって錘本体１１の径方向外側に傾斜している。
錘本体１１の軸方向に対する溝１３の外側内側面１３ａの傾斜角度θは、錘本体１１の軸方向に対して３０度以上となっている。溝１３の外側内側面１３ａの傾斜角度θは３０〜６０度が好ましい。
【００１９】
図１，図２に示す鍵盤錘１０において、溝１３の幅（溝幅）方向において外側内側面１３ａに対面する内側内側面１３ｂは、錘本体１１の径方向に垂直に形成されている。内側内側面１３ｂの錘本体１１の軸方向に対する傾斜角度は０度である。
【００２０】
図１、図２に示す鍵盤錘１０の錘本体１１の径方向において溝１３の外側に位置する部分１４は、図４、図５に示すように、鍵２０の挿入孔２１内面に食い込ませて鍵盤錘１０を鍵２０に固定するためのかしめ部として機能する。
鍵盤錘１０の錘本体１１の径方向における溝１３の外側に位置する部分１４を、以下、かしめ部１４、と言う。
【００２１】
かしめ部１４は、錘本体１１の軸方向端部の周縁部分に環状に形成されている。
かしめ部１４には、当該かしめ部１４を三つ以上のかしめ分割部１４ａに分割する複数のスリット１４ｂが形成されている。本実施形態において、かしめ部１４の周方向における各かしめ分割部１４ａの長さは互いに等しい。かしめ部１４の周方向における各かしめ分割部１４ａの長さは、例えば一様でなく、ばらつきがあってもよい。
図１、図６に示すかしめ部１４は、かしめ部１４の周方向（錘本体１１の周方向）の４箇所に形成されたスリット１４ｂによって、周方向に均等の４つのかしめ分割部１４ａに分割されている。
【００２２】
かしめ部１４のスリット１４ｂの幅寸法（かしめ部１４の周方向における寸法）は、１ｍｍ以上、３ｍｍ以下であることが好ましい。
【００２３】
図３、図６に示すように、鍵２０の挿入孔２１は、鍵２０の側面から鍵２０にその左右方向（図３において上下方向、図６において紙面に直交する方向）に延びるように形成されている。
挿入孔２１は、鍵２０の左右方向両側の側面の少なくとも片方に開口していればよい。図３に示す鍵２０の挿入孔２１は、鍵２０にその左右方向に貫通して形成され、鍵２０の左右方向両側の側面に開口している。
【００２４】
図３に示すように、鍵盤錘１０は、円柱状の錘本体１１の外径が鍵２０の挿入孔２１内径に一致するもの、又は、挿入孔２１の内径よりも微小に小さいものを使用する。
鍵盤錘１０は、錘本体１１の軸方向が鍵２０の挿入孔２１の深さ方向（挿入孔２１の軸方向）に一致するようにして挿入孔２１に挿入される。
【００２５】
図６に示す鍵２０の挿入孔２１は、鍵２０の長手方向（図６において左右方向）の複数箇所に形成されている。
鍵盤錘１０は、鍵２０の複数の挿入孔２１から選択したものに挿入して鍵２０に固定される。
【００２６】
図３、図４に示すように、鍵２０の挿入孔２１に挿入された鍵盤錘１０は、錘本体１１の軸方向両側のかしめ部１４のかしめ分割部１４ａを、かしめ用工具３０を用いて錘本体１１の径方向外側へ曲げて鍵２０の挿入孔２１内面に食い込ませることで鍵２０に固定される。
かしめ用工具３０は、棒状の工具本体３１の先端外周部に、かしめ用突起３２を突出させて構成されている。かしめ用突起３２は、鍵盤錘１０のかしめ分割部１４ａを錘本体１１の径方向外側へ曲げるためのものである。
かしめ用工具３０は、かしめ用突起３２をかしめ分割部１４ａの外側内側面１３ａに沿わせて鍵盤錘１０の溝１３に押し込んでいくことで、かしめ用突起３２によって押圧したかしめ分割部１４ａを錘本体１１の径方向外側へ曲げるものである。
【００２７】
鍵ユニット２０Ａは、上記のかしめ用工具３０を用いて、以下の鍵ユニットの製造方法によって製造できる。
鍵ユニット２０Ａを製造する際には、はじめに図３に示すように、鍵盤錘１０を鍵２０の挿入孔２１に挿入する。次いで図４、図５に示すように、かしめ用工具３０のかしめ用突起３２を鍵盤錘１０の溝１３に押し込んで鍵盤錘１０の錘本体１１の軸方向両側のかしめ部１４（具体的にはかしめ分割部１４ａ）を錘本体１１の径方向外側へ曲げて鍵２０の挿入孔２１内面に食い込ませ、これにより鍵盤錘１０を鍵２０に固定する。以上により、鍵ユニット２０Ａを製造できる。
【００２８】
かしめ用工具３０のかしめ用突起３２によるかしめ分割部１４ａの錘本体１１の径方向外側への曲げは、かしめ分割部１４ａのかしめ部１４の周方向全体で必ずしも均等ではなく、バラツキが存在し得る。かしめ分割部１４ａをかしめ用工具３０によって錘本体１１の径方向外側へ曲げる際のかしめ分割部１４ａの変形は、必ずしも、かしめ分割部１４ａのかしめ部１４の周方向全体にわたって均等かつ同時に進行するものではない。
かしめ部１４のスリット１４ｂの幅寸法が１ｍｍ以上であれば、かしめ分割部１４ａをかしめ用工具３０を用いて錘本体１１の径方向外側へ曲げる際に、スリット１４ｂを介して隣り合うかしめ分割部１４ａ同士の当接や、それによる曲げ対象外のかしめ分割部１４ａの曲げ（連れ曲げ）、を確実に回避できる。
また、かしめ部１４のスリット１４ｂは、切削加工による加工量を抑え、容易に形成する点で、幅寸法が３ｍｍ以下であることが好ましい。
【００２９】
図６に示す鍵ユニット２０Ａの鍵盤錘１０は、鍵２０の長手方向に対して±４５度以内の領域に形成されているかしめ分割部１４ａのみを鍵２０の挿入孔２１内面に食い込ませて鍵２０に固定されている。鍵２０の挿入孔２１の内面に食い込ませたかしめ分割部１４ａは、かしめ部１４の周方向における全体が鍵２０の長手方向に対して±４５度以内の領域内に位置するものである。
かしめ部１４の周方向における全体が鍵２０の長手方向に対して±４５度以内の領域内に位置するかしめ分割部１４ａを、以下、鍵長手方向かしめ分割部、とも言う。
鍵盤錘１０において、鍵長手方向かしめ分割部は錘本体１１の中心軸線を介して両側に位置している。
【００３０】
図６に示す鍵ユニット２０Ａの鍵盤錘１０は、具体的には、４つのかしめ分割部１４ａのうち、錘本体１１の中心軸線を介して両側に位置する２つのみを鍵２０の長手方向に対して±４５度以内の領域内に配置し、他の２つを鍵２０の長手方向に対して±４５度以内の領域外に配置している。図６に示す鍵ユニット２０Ａの鍵盤錘１０は、鍵２０の長手方向に対して±４５度以内の領域内に配置した２つのかしめ分割部１４ａ（鍵長手方向かしめ分割部）のみを鍵２０の挿入孔２１内面に食い込ませて鍵２０に固定されている。
【００３１】
図６に示すように、鍵２０の長手方向に対して±４５度以内の領域内に配置した２つのかしめ分割部１４ａのみを鍵２０の挿入孔２１内面に食い込ませて鍵盤錘１０を鍵２０に固定（かしめ固定）した構成は、かしめ固定による鍵２０の微小な変形が鍵２０の上面２２（以下、鍵上面２２、とも言う）に影響を与えることを回避する点で有利である。
【００３２】
従来は、鍵盤錘のかしめ固定による鍵の微小変形が鍵上面に影響を与えることを回避するため、鍵盤錘は直径が鍵の厚みの６０％に満たないものを使用することが一般的であった。
これに対して、錘本体１１の中心軸線を介して両側の鍵長手方向かしめ分割部のみを鍵２０の挿入孔２１内面に食い込ませて鍵盤錘１０を鍵２０に固定した構成では、従来に比べて直径が大きい錘本体を有する鍵盤錘１０を使用しても、鍵盤錘１０のかしめ固定が鍵上面２２に影響を与えることを回避できる。
このため、図６に示すように、錘本体１１の中心軸線を介して両側の鍵長手方向かしめ分割部のみを鍵２０の挿入孔２１内面に食い込ませて鍵盤錘１０を鍵２０に固定した鍵ユニット２０Ａでは、錘本体１１の直径Ｄ（錘本体外径）が鍵２０の厚み（図６上下方向寸法）の６０％以上である鍵盤錘１０を使用できる。
【００３３】
以上説明したように、本実施形態の鍵盤錘１０によれば、錘本体１１の端面１２の周縁部分に形成された溝１３の外側内側面１３ａが、錘本体１１軸方向において溝１３の底部から開口に向かうにしたがって錘本体１１の径方向外側に傾斜し、錘本体１１軸方向に対する外側内側面１３ａの傾斜角度が３０度以上である。このため、外側内側面１３ａに錘本体１１の軸方向への押圧力を作用させるだけで錘本体１１の溝１３外側に位置する部分（かしめ部１４）を錘本体１１径方向外側へ曲げて鍵２０の挿入孔２１内面に食い込ませ、鍵２０に固定（かしめ固定）できる。
また、本実施形態の鍵盤錘１０は、特許文献１の図１（ａ）、（ｂ）の鍵盤錘に比べて、例えば、金属部材から切削加工によって形成する際の切削量を少なく抑えることができる。このため、本実施形態の鍵盤錘１０では、切削加工によって形成する際の材料の廃棄量を削減し、形成時間を短縮することができる。
【００３４】
また、本実施形態の鍵ユニット２０Ａによれば、鍵盤錘１０のかしめ部１４のうち、鍵２０の長手方向に対して±４５度以内の領域内に形成されている部分のみを鍵２０の挿入孔２１内面に食い込ませている。このため、鍵上面２２にかしめ固定の影響を与えることを容易に回避できる。
【００３５】
また、本実施形態の鍵ユニット２０Ａによれば、鍵盤錘１０のかしめ部１４のうち、鍵２０の長手方向に対して±４５度以内の領域内に形成されている部分のみを鍵２０の挿入孔２１内面に食い込ませ、錘本体１１の直径が鍵２０の厚みの６０％以上である鍵盤錘１０を採用している。このため、鍵盤錘１０による鍵タッチの重さ調整の調整幅を拡大できる。
【００３６】
また、本実施形態の鍵盤錘１０によれば、錘本体１１の軸方向端部の環状のかしめ部１４に、当該かしめ部１４を三つ以上のかしめ分割部１４ａに分割する複数のスリット１４ｂが形成され、かしめ部１４の周方向におけるかしめ分割部１４ａの長さが、複数のかしめ分割部１４ａの間で互いに等しくなっている。このため、スリットが無く、分割されていない環状のままのかしめ部に比べて、かしめ部を錘本体１１径方向外側へ曲げて鍵２０の挿入孔２１内面に食い込ませるための力が小さくて済み、かしめ部を錘本体１１径方向外側へ曲げて錘本体１１を鍵２０にかしめ固定する作業を楽に行える。
【００３７】
また、本実施形態の鍵盤錘１０によれば、環状のかしめ部１４の周方向におけるスリット１４ｂの幅寸法が、１ｍｍ以上、３ｍｍ以下である。これにより、かしめ分割部１４ａを錘本体１１径方向外側へ曲げる際に、曲げ対象外のかしめ分割部１４ａの曲げ（連れ曲げ）、を確実に回避できる。また、この鍵盤錘１０によれば、スリット１４ｂを形成するための切削加工を少なく抑えることができる。
【００３８】
また、本実施形態の鍵ユニットの製造方法によれば、鍵盤錘１０を鍵２０の挿入孔２１に挿入し、かしめ用工具３０のかしめ用突起３２を錘本体１１の溝１３に押し込むだけで、鍵盤錘１０の錘本体１１のかしめ部１４を錘本体１１の径方向外側へ曲げて鍵２０の挿入孔２１内面に食い込ませることができる。このため、鍵盤錘１０の鍵２０への固定を簡単に効率良く行なうことができる。
【００３９】
以上、本発明について詳細に説明したが、本発明は上記実施形態に限定されるものではなく、本発明の趣旨を逸脱しない範囲において種々の変更を加えることが可能である。
【００４０】
例えば、図７に示すように、鍵２０の挿入孔２１に挿入した鍵盤錘１０は、錘本体１１軸方向両端部のかしめ部１４の複数のかしめ分割部１４ａのすべてを錘本体１１径方向外側へ曲げて鍵２０の挿入孔２１内面に食い込ませ、鍵２０に固定しても良い。
図７では鍵ユニットの符号を２０Ｂとしている。
【００４１】
本発明に係る鍵盤錘及び鍵ユニットにおいて、溝は形成されなくても良く、かしめ部は錘本体の端面から突出して形成されても良い。
【００４２】
本発明に係る鍵盤錘及び鍵ユニットにおいて、かしめ分割部（かしめ部）は軸方向から見て円弧状に限らず、例えば円形状、三角形状、扇形状など任意の形状に形成されて良い。
【符号の説明】
【００４３】
１０…鍵盤錘、１１…錘本体、１２…端面、１３…溝、１３ａ…外側内側面、１４…かしめ部、１４ａ…かしめ分割部、１４ｂ…スリット、２０Ａ、２０Ｂ…鍵ユニット、２０…鍵、２１…挿入孔、２２…鍵上面
【図１】
0006760482.tif 000002
【図２】
0006760482.tif 000003
【図３】
0006760482.tif 000004
【図４】
0006760482.tif 000005
【図５】
0006760482.tif 000006
【図６】
0006760482.tif 000007
【図７】
0006760482.tif 000008